(57)【要約】【課題】液晶パネルを搭載した装置を小型化する【解決手段】液晶パネル３４は、表示窓１４ａの背後からデジタルカメラ１０の後ケース１４内に配置される。光源部５０は、さらに液晶パネル３４の背後に配置される。そして、液晶パネル３４は、表示窓１４ａと光源部５０との間で挟まれて保持される。また、液晶パネル３４の側部の外周のサイズは、後ケース１４の内周のサイズとほぼ等しく形成されており、液晶パネル３４は、後ケース１４の内壁によって側面側から保持される。【選択図】        図３
2006337856.tif 000002
【特許請求の範囲】
【請求項１】
携帯機器の外装体に形成された表示窓の背後に配置される液晶パネルと、
光源及び導光板を有し光源からの照明光を導光板により均斉化して液晶パネルの背面全体に照射する光源ユニットとを備えた携帯機器において、
前記外装体の内側壁により液晶パネルの側面を保持するとともに、前記光源ユニットを液晶パネルの背面に押しつけるように保持することで、前記表示窓と光源ユニットとの間で液晶パネルを前面側及び背面側から保持する保持機構を備えたことを特徴とする携帯機器。
【請求項２】
前記光源ユニットは、略板形状に形成され、側面が前記外装体の内側壁によって保持されることを特徴とする請求項１記載の携帯機器。
【請求項３】
前記外装体の内側壁に、前記光源ユニットと係合する係合突起を設け、前記光源ユニットは、この係合突起と係合することで前記外装体に保持されることを特徴とする請求項２記載の携帯機器。
【請求項４】
前記光源ユニットの側面を、前記外装体の内側壁にネジ止めしたことを特徴とする請求項２または３記載の携帯機器。
【請求項５】
前記外装体の内側壁に前記光源ユニットと係合する係合突起を設け、この係合突起により前記光源ユニットを保持し、さらに、前記光源ユニットの側面を、前記係合突起のほぼ中央を貫通するネジによってネジ止めしたことを特徴とする請求項２記載の携帯機器。
【請求項６】
前記外装体を、互いの側壁の一部を重ね合わせるように組み合わせられる前部外装体と後部外装体とから構成するとともに、
前記前部外装体の側壁と前記後部外装体の側壁、並びに、前記光源ユニットを、１つのネジによりネジ止めしたことを特徴とする請求項４または５記載の携帯機器。
【請求項７】
前記光源ユニットを背面側から支持する内部フレームを設けたことを特徴とする請求項１乃至３記載の携帯機器。
【請求項８】
前記内部フレームの側面を、前記外装体の内側壁にネジ止めしたことを特徴とする請求項７記載の携帯機器。
【請求項９】
前記外装体を、互いの側壁の一部を重ね合わせるように組み合わせられる前部外装体と後部外装体とから構成するとともに、
前記前部外装体の側壁と前記後部外装体の側壁、並びに、前記内部フレームを１つのネジによりネジ止めしたことを特徴とする請求項７または８記載の携帯機器。
【請求項１０】
前記光源ユニットの端部を、背面側から前記外装体にネジ止めしたことを特徴とする請求項１乃至３記載の携帯機器。
【請求項１１】
前記液晶パネルと前記表示窓との間に緩衝部材を配置したことを特徴とする請求項１乃至１０記載の携帯機器。
【発明の詳細な説明】
【技術分野】
【０００１】
本発明は、携帯機器の外装体に形成された表示窓の背後に配置される液晶パネルと、光源及び導光板を有し光源からの照明光を導光板により均斉化して液晶パネルの背面全体に照射する光源ユニットとを備えた携帯機器に関するものである。
【背景技術】
【０００２】
デジタルカメラ、携帯電話など各種携帯機器において液晶表示装置（ＬＣＤ）が搭載されている。ＬＣＤは、周知のように、液晶の封入された液晶パネルと、この液晶パネルを背面側から照明する光源ユニットとを備え、液晶パネルを透過する光を調節することによって画像を形成する。
【０００３】
通常、液晶パネル並びに光源ユニットは１つのケース内に納められている（例えば、下記特許文献１参照）。また、ＬＣＤを搭載する装置の外装体にケースを形成し、ここに液晶パネルと光源ユニットを納めるようにした装置もある（例えば、下記特許文献２参照）。
【特許文献１】特開２００３−１６７２３５号公報
【特許文献２】実開平６−３３１３２号公報
【発明の開示】
【発明が解決しようとする課題】
【０００４】
しかしながら、従来の装置では、液晶パネルがケースで覆われているため、装置が大型化してしまうといった問題があった。
【０００５】
本発明は、液晶パネルを搭載した装置を小型化することを目的としている。
【課題を解決するための手段】
【０００６】
上記目的を達成するために、本発明の携帯機器は、携帯機器の外装体に形成された表示窓の背後に配置される液晶パネルと、光源及び導光板を有し光源からの照明光を導光板により均斉化して液晶パネルの背面全体に照射する光源ユニットとを備えた携帯機器において、前記外装体の内側壁により液晶パネルの側面を保持するとともに、前記光源ユニットを液晶パネルの背面に押しつけるように保持することで、前記表示窓と光源ユニットとの間で液晶パネルを前面側及び背面側から保持する保持機構を備えたことを特徴とするものである。
【０００７】
前記光源ユニットは、略板形状に形成され、側面が前記外装体の内側壁によって保持されることが好ましい。
【０００８】
前記外装体の内壁に、前記光源ユニットと係合する係合突起を設け、前記光源ユニットは、この係合突起と係合することで前記外装体に保持されるようにしてもよい。
【０００９】
また、前記光源ユニットの側面を、前記外装体の内壁にネジ止めしてもよい。
【００１０】
さらに、前記外装体の内壁に前記光源ユニットと係合する係合突起を設け、この係合突起により前記光源ユニットを保持し、さらに、前記光源ユニットの側面を、前記係合突起のほぼ中央部を貫通するネジによってネジ止めしてもよい。
【００１１】
また、前記外装体を、互いの側壁の一部を重ね合わせるように組み合わせられる前部外装体と後部外装体とから構成するとともに、前記前部外装体の側壁と前記後部外装体の側壁、並びに、前記光源ユニットを、１つのネジによりネジ止めしてもよい。
【００１２】
さらに、前記光源ユニットを背面側から支持する内部フレームを設けてもよい。
【００１３】
また、前記内部フレームの側面を、前記外装体の内壁にネジ止めしてもよい。
【００１４】
さらに、前記外装体を、互いの側壁の一部を重ね合わせるように組み合わせられる前部外装体と後部外装体とから構成するとともに、前記前部外装体の側壁と前記後部外装体の側壁、並びに、前記内部フレームを１つのネジによりネジ止めしてもよい。
【００１５】
また、前記光源ユニットの端部を、背面側から前記外装体にネジ止めしてもよい。
【００１６】
さらに、前記液晶パネルと前記表示窓との間に緩衝部材を配置することが好ましい。
【発明の効果】
【００１７】
本発明の携帯機器は、携帯機器の外装体の内壁にて側面側から液晶パネルを保持するとともに、外装体と光源ユニットとの間で、前面側及び背面側から液晶パネルを保持するようにしたので、液晶パネルを収納するケース設ける必要がなく、携帯機器を小型化することができる。
【発明を実施するための最良の形態】
【００１８】
本発明を適用したデジタルカメラの前面側の外観図を図１に、背面側の外観図を図２にそれぞれ示す。デジタルカメラ１０は、前面側を覆う前ケース１２と、背面側を覆う後ケース１４とを備え、これら各ケース１２、１４によってその外装が形成されている。前ケース１２と後ケース１４とは、互いの上下左右の４つの側壁の一部を重ね合わせるようにして組み合わせられ、この重なり合った部分がネジ１６によりネジ止めされている（図３参照）。
【００１９】
デジタルカメラ１０の前面には撮影レンズ１８が設けられ、上面にはシャッタボタン２０が設けられている。デジタルカメラ１０は、撮影モード、再生モード、並びに、各種設定を行うためのメニューモードを備えており、撮影モードにセットして、シャッタボタン２０を押下することによって撮影を行うことができる。撮影が行われると、撮影レンズ１８を透過した被写体光がデジタルな画像データとしてメモリカード（図示せず）に記録される。
【００２０】
また、デジタルカメラ１０の上面には前述したシャッタボタン２０に加え、電源ボタン２２や、撮影モード、再生モード、メニューモードの各モード間の切り替えを行うためのモード選択ボタン２４が設けられている。さらに、デジタルカメラ１０の側面には上下に回転操作されるダイアルキー２６や、決定ボタン２８、キャンセルボタン３０が設けられている。デジタルカメラ１０では、これら各操作部材を上面及び側面に配置することで、背面側にスペースを確保し、ここに大型のＬＣＤ３２を配置している。
【００２１】
ＬＣＤ３２は、液晶パネル３４、光源３６（図３参照）を含んで構成され、後ケース１４に形成された表示窓１４ａから液晶パネル３４を露呈させている。ＬＣＤ３２には、撮影モードにおいてはスルー画が表示され、再生モードにおいてはメモリカードに記録済みの画像が再生表示される。また、メニューモードにおいては各種設定を行うためのメニュー画面が表示される。詳しくは後述するが、デジタルカメラ１０では、液晶パネル３４を光源３６とユニット化せずに後ケース１４に配置している。
【００２２】
液晶パネル３４は、周知のように、２枚の偏光板の間に液晶素子が封入されており、表示する画像に応じて液晶素子の配列方向を変化させることで画像を生成する。図３に示すように、液晶パネル３４は、表示窓１４ａの背後から後ケース１４内に配置される。表示窓１４ａは液晶パネル３４よりも一回り小さく形成され、液晶パネル３４は、その表示面側が表示窓１４ａによって支持される。また、液晶パネル３４は、外周の形状及び大きさが、後ケース１４の内周の形状及び大きさとほぼ等しく形成されており、後ケース１４内に配置されることで４つの側面のそれぞれが後ケース１４の内壁によって支持される。
【００２３】
他方、光源３６は、導光板３８、光学シート４０、４２などとともに収納ケース４４内に納められ、光源ユニット５０を構成する。光源３６としては、例えば、蛍光ランプが用いられ、光源ユニット５０は、光源３６から放射された照明光を導光板３８、光学シート４０、４２により拡散、均斉化して、液晶パネル３４の背面を均一に照明する。
【００２４】
収納ケース４４は、外周の形状及び大きさが、後ケース１４の内周の形状及び大きさとほぼ等しく形成されており、液晶パネル３４の背後から後ケース１４内に配置される。後ケース１４の内壁には係止突起１４ｂが設けられており、収納ケース４４が後ケース１４内に配置されると、収納ケース４４の背面が係止突起１４ｂと係合し、光源ユニット５０が液晶パネル３４の背面と当接した状態で係止される。これにより、液晶パネル３４の背面が光源ユニット５０によって支持される。
【００２５】
さらに、光源ユニット５０の背後には内部フレーム５２が設けられており、光源ユニット５０は、この内部フレーム５２によって背面側から支持されている。内部フレーム５２は、後ケース１４と、前ケース１２とを組み付ける際に用いられるネジ１６によって固定される。前ケース１２は、後ケース１４側の端部が、後ケース１４の内周よりも一回り小さく形成されており、後ケース１４の内側に嵌め込まれる。内部フレーム５２は、断面が略コ字形状に形成され、各ケース１２、１４の重なり合った部分に、さらにその側壁を重ね合わせるように配置される。そして、これら全てが重なり合う部分がネジ１６によってネジ止めされることで、各ケース１２、１４、並びに、内部フレーム５２が固定される。
【００２６】
以下、上記構成による本発明の作用について説明する。デジタルカメラ１０は、前ケース１２と後ケース１４とによってその外殻が形成されている。これら各ケース１２、１４は、互いの側壁の一部を重ね合わせるようにして組み合わせられ、この重なり合った部分がネジ１６によってネジ止めされる。
【００２７】
後ケース１４には表示窓１４ａが形成されており、この表示窓１４ａから液晶パネル３４が露呈している。液晶パネル３４は、表示窓１４ａの背後から後ケース１４内に嵌め込まれる。さらに、後ケース１４には液晶パネル３４の背後から光源ユニット５０が嵌め込まれる。液晶パネル３４及び光源ユニット５０は、その外周の大きさ及び形状が、後ケース１４の内周の大きさ及び形状とほぼ等しく形成され、後ケース１４に嵌め込まれることでこれらの側面が後ケース１４の内壁によって支持される。
【００２８】
後ケース１４の内壁には係止突起１４ｂが設けられており、光源ユニット５０が嵌め込まれることによって、光源ユニット５０の背面が係止突起１４ｂと係合し、光源ユニット５０が液晶パネル３４の背面と当接した状態で係止される。また、この係止により液晶パネル３４が、表示窓１４ａと光源ユニット５０との間で挟まれて、表示面側及び背面側の両側から支持される。
【００２９】
光源ユニット５０が嵌め込まれた後は、内部フレーム５２により光源ユニット５０の背面側が抑えられる。内部フレーム５２は、各ケース１２、１４の重なり合った部分に、その側壁を重ね合わせるように配置される。そして、これらは、全てが重なり合った部分がネジ１６によりネジ止めされて固定される。
【００３０】
このように、デジタルカメラ１０では、デジタルカメラの外装を形成する後ケースに直接液晶パネル及び光源ユニットを取り付けている。このため、従来のように液晶パネルや光源ユニットをケースに収めた後、さらにこのケースをデジタルカメラ内に配置する配置する場合と比較して、デジタルカメラを小型化することができる。
【００３１】
また、デジタルカメラ１０では、後ケースの内壁に形成した係止突起と、内部フレームとによって光源ユニットを背面側から支持するようにしているので、光源ユニットを確実に支持することができる。さらに、内部フレームは、デジタルカメラの前カバーと後カバーを固定するネジによって固定されるので、別のネジによって内部フレームをネジ止めする場合と比較して部材数を抑えることができる。
【００３２】
なお、本発明は、デジタルカメラの外殻を形成する後ケースに直接液晶パネル及び光源ユニットを取り付ければよいので、細部の構成はデジタルカメラの仕様に応じて適宜変更することができる。例えば、図４に示すように、光源ユニット５０を係止する係止突起６０の中央部を貫通するネジ６２によって内部フレーム６４をネジ止めしてもよい。こうすることで、係止突起とは異なる場所をネジ止めする場合と比較して、図中縦方向の厚みを抑えてより小型化できる。なお、図４以降の図面においては、上述した実施形態と同様の部材については同様の符号を付して説明を省略している。
【００３３】
また、上記実施形態では、内部フレームにより光源ユニットを押さえる例で説明をしたが、図５に示す光源ユニット７０のように、内部フレームを設けずに、光源ユニット７０をネジ止めするといったことも考えられる。この光源ユニット７０は、断面略Ｈ形状に形成された収納ケース７２を備え、この収納ケース７２の上側に光源３６や導光板３８や光学シート４０、４２が納められている。
【００３４】
収納ケース７２の下側は、上側よりも外周が一回り小さい段付き形状に形成されている。そして、この収納ケース７２は、後ケース１４に配置されると、段付き部分が係止突起７４と係合し仮止めされる。さらに、この仮止めの後、収納ケース７２の下側が、前ケース１２と後ケース１４とを固定するネジ７６に共締めされて固定される。
【００３５】
このように、光源ユニットをネジ止めすれば、内部フレームを廃止してより小型化できる。もちろん、係止突起を廃止して、ネジ止めのみで光源ユニットを固定してもよい。また、係止突起のみで光源ユニットを固定してもよいし、内部フレームのみで光源ユニットを固定してもよい。
【００３６】
さらに、上記実施形態では、液晶パネルの側面全体が後ケースの内壁と当接し、支持される例で説明をしたが、例えば、図６（Ａ）に示す光源ユニット７８のように、収納ケース８０の一部を延設し、液晶パネル８２の側面を覆うようにしてもよい。この場合、液晶パネルの側面全体を収納ケースで覆ってしまうと、後ケースと液晶パネルとの間に収納ケースが配置される分デジタルカメラが大型化してしまったり、液晶パネルの有効表示領域を狭めてしまうといった懸念がある。このため、例えば、図中Ａ−ａの断面を表す、同図（Ｂ）に示すように、有効表示領域や周辺の配線に与える影響が少ない、液晶パネル８２の４隅近傍において収納ケース８０を延設することが好ましい。
【００３７】
また、上記実施形態では、液晶パネルが後ケースに直に接している例で説明をしたが、例えは、図７に示すように、液晶パネル９０と後ケース１４との間に、ゴムや樹脂などの衝撃を吸収する材料から構成された緩衝材９２を配置してもよい。このように緩衝材を配置することで液晶パネルの破損を防止することができる。なお、本例では、液晶パネルの側面側と表示面側とに渡り緩衝材を配置しているが、いずれか一方にのみ緩衝材を配置してもよい。また、液晶パネルの側面側と表示面側に加え、光源ユニット側にも緩衝材を配置してもよい。
【００３８】
さらに、図８に示すように、光源ユニットを背後からネジ止めするといったことも考えられる。図８において、光源ユニット１００は、収納ケース１０２の一側部が後ケース１４の内壁に形成された係止突起１０３により背面側から支持され、他方の側部がネジ１０４により背面側から後ケース１４にネジ止めされて固定されている。この場合も図６にて示した例と同様に、有効表示領域や周辺の配線に与える影響が少ない、液晶パネル１０６の４隅近傍をネジ止めすることが好ましい。
【００３９】
以上、本発明をデジタルカメラに適用した例で説明をしたが、例えば、ＰＤＡ（Ｐｅｒｓｏｎａｌ  Ｄｉｇｉｔａｌ  Ａｓｓｉｓｔａｎｔ）などデジタルカメラ以外の携帯機器に本発明を適用してもよい。
【図面の簡単な説明】
【００４０】
【図１】デジタルカメラの前面側斜視図である。
【図２】デジタルカメラの背面側斜視図である。
【図３】デジタルカメラの後ケース側の断面図である。
【図４】係止突起の中心にネジを設けた例を表す説明図である。
【図５】光源ユニットをネジ止めした例を表す説明図である。
【図６】収納ケースを液晶パネルの側面側に延設した例を表す説明図である。
【図７】後ケースと液晶パネルとの間に緩衝材を配置した例を表す説明図である。
【図８】光源ユニットを背後からネジ止めした例を表す説明図である。
【符号の説明】
【００４１】
１０  デジタルカメラ
１２  前ケース
１４  後ケース
１４ａ  表示窓
１４ｂ、６０、７４、１０３  係止突起
１６、６２、７、６１０４  ネジ
３２  ＬＣＤ
３４、８２、９０、１０６  液晶パネル
３６  光源
３８  導光板
４０、４２  光学シート
４４、７２、１０２  収納ケース
５０、７０、７８、１００  光源ユニット
５２、６４、  内部フレーム
９２  緩衝材
【図１】
2006337856.tif 000003
【図２】
2006337856.tif 000004
【図３】
2006337856.tif 000005
【図４】
2006337856.tif 000006
【図５】
2006337856.tif 000007
【図６】
2006337856.tif 000008
【図７】
2006337856.tif 000009
【図８】
2006337856.tif 000010